(57)【特許請求の範囲】
【請求項１】
下方に開口を有する集塵室と、前記集塵室内に回転自在な回転子と、前記回転子の周囲に設けた縮れ毛なるパイルから構成される塵埃除去体を備え、前記パイルの被掃除面側先端部近傍が略球体状に形成され、繊維質の塵埃が前記略球体状に引っ掛かり、先端に曲げ力が加わった場合の屈曲性が良い前記縮れ毛なるパイルが、その屈曲性により、前記繊維質の塵埃を刷き上げる電気掃除機用吸込具。
【請求項２】
電動送風機を内蔵する掃除機本体と、請求項１に記載の電気掃除機用吸込具を、連結部を介して連通させた電気掃除機。
【発明の詳細な説明】
【０００１】
【発明の属する技術分野】
本発明は電気掃除機用吸込具の塵埃除去体、及び前記電気掃除機用吸込具を用いた電気掃除機に関するものである。
【０００２】
【従来の技術】
近年、住宅においては木床を多用した構造が増加しつつあり、また同時に木床の部屋の一部にじゅうたんを使用する家庭も多く、吸込具を付け替える事無く全ての被掃除面に対して有効で、かつ高性能な電気掃除機が要望されている。
【０００３】
従来この種の吸込具については図１４に示すような構成が一般に製品化されていた。
【０００４】
以下、従来例の構成を図１３から１５を用いて説明する。
【０００５】
図１３に示すように、吸込具１は内部に集塵室２を有し、被掃除面側と対向する底面に、塵埃を吸引する開口３が設けられ、前記集塵室２と連通している。
【０００６】
吸込具１後部には上下に回動自在にアーム４が構成され、前記アーム４の内部には塵埃が通過する塵埃通路５が構成され、延長管６、ホース７の連結部により掃除機本体８内部の電動送風機９と連通し、前記電動送風機９が発生する吸引風により塵埃を集塵している。
【０００７】
また、前記吸込具１の集塵室２内部には、略円柱形状にて、円中心１４を軸に回転自在な回転子１０を有しており、前記回転子１０の外周には、カットパイル状の紡績布から成るブラシである起毛布が被掃除面に接するように設けられ、塵埃除去体１１を形成している。
【０００８】
前記塵埃除去体１１は、吸込具１に内装されたモーター等の駆動手段（図示せず）により回転子１０の円中心１４を軸に回転するとともに、同時に前記塵埃除去体１１を構成する起毛布がブラシのごとく、被掃除面と衝突し被掃除面上の塵埃をかき上げる機能を有している。
【０００９】
また、前記起毛布の替わりに柔軟な合成樹脂にて成形された薄板状の凸状帯（図示せず）を設け、集塵性を向上させた吸込具も商品化されている。
【００１０】
【発明が解決しようとする課題】
このように上記従来の電気掃除機用吸込具では、塵埃除去体１１は被掃除面と衝突し被掃除面上の塵埃をかき上げる機能を有しているが、塵埃には砂などの固形で質量のあるものや綿塵などの比較的軽いものまた埃などの質量が軽く体積も小さいものなど千差万別であり、各種すべての塵埃を効率良く被掃除面からかきあげるためには塵埃除去体１１のブラシは細くて硬いものが必要でありカットパイル状の紡績布から成る通常のナイロンパイルのみでは効率の良い塵埃除去体といえなかった。
【００１１】
また、前記ブラシの替わりに柔軟な合成樹脂にて成形された薄板状の凸状帯（図示せず）を用いた場合においては、じゅうたん等の被掃除面に対して有効な形状に設定を行うことが一般的であり、よって木床等の硬質な被掃除面と接触しない形状となり、前記硬質な被掃除面の塵埃をかきあげることができないものであった。
【００１２】
本発明は、上記課題を解決するもので、じゅうたんや木床等の多種の被掃除面に存在するいろんな塵埃をかき上げる機能を向上させることで、集塵性の向上を実現した電気掃除機用吸込具およびそれを用いた電気掃除機を提供することを目的としている。
【００１３】
【課題を解決するための手段】
上記目的を達成するために本発明は、下方に開口を有する集塵室と、前記集塵室内に回転自在な回転子と、前記回転子の周囲に設けた縮れ毛なるパイルから構成される塵埃除去体を備え、前記パイルの被掃除面側先端部近傍が略球体状に形成され、繊維質の塵埃が前記略球体状に引っ掛かり、先端に曲げ力が加わった場合の屈曲性が良い前記縮れ毛なるパイルが、その屈曲性により、前記繊維質の塵埃を刷き上げる電気掃除機用吸込具で、塵埃除去体を構成しているパイルは被掃除面側の先端部を略球体状に形成された繊維にて成ることにより、回転子に接近するじゅうたん等の被掃除面においては前記塵埃除去体の先端部の略球体状が接触し、このとき略球形状はじゅうたんのパイルに接触しながら吸込具とともに移動することにより、じゅうたん上に繊維質の塵埃が存在した場合、略球形状に引っかかりじゅうたんのパイルからはずれ、このとき電気掃除機の吸込み風により集塵室に導かれることにより、じゅうたん上のパイルに絡みついた塵埃を効率良く掃除できるものである。
【００１４】
また、じゅうたん等の繊維質の被掃除面においては、起毛布の基布からパイル先端の厚みが同一の直毛に対し、パイルがけん縮加工されていることにより、一本のパイルそのものの長さが長くなり、先端を曲げる力が加わった場合の屈曲性が良くなり、先端の略球形状部がじゅうたんの表面をすべるように刷き上げる、このときパイル先端の略球状の根元部がじゅうたん表面の繊維状の塵埃を引っ掛けるようにじゅうたん面より引き離し、電気掃除機よりの吸引風により集塵されることによりじゅうたん等のパイルに絡みついた塵埃を効率良く集塵できるものである。
【００１５】
【発明の実施の形態】
本発明の請求項１記載の発明は、下方に開口を有する集塵室と、前記集塵室内に回転自在な回転子と、前記回転子の周囲に設けた縮れ毛なるパイルから構成される塵埃除去体を備え、前記パイルの被掃除面側先端部近傍が略球体状に形成され、繊維質の塵埃が前記略球体状に引っ掛かり、先端に曲げ力が加わった場合の屈曲性が良い前記縮れ毛なるパイルが、その屈曲性により、前記繊維質の塵埃を刷き上げる電気掃除機用吸込具で、塵埃除去体を構成しているパイルは被掃除面側の先端部を略球体状に形成された繊維にて成ることにより、回転子に接近するじゅうたん等の被掃除面においては前記塵埃除去体の先端部の略球体状が接触し、このとき略球形状はじゅうたんのパイルに接触しながら吸込具とともに移動することにより、じゅうたん上に繊維質の塵埃が存在した場合、略球形状に引っかかりじゅうたんのパイルからはずれ、このとき電気掃除機の吸込み風により集塵室に導かれることにより、じゅうたん上のパイルに絡みついた塵埃を効率良く掃除できるものである。
【００１６】
また、じゅうたん等の繊維質の被掃除面においては、起毛布の基布からパイル先端の厚みが同一の直毛に対し、パイルがけん縮加工されていることにより、一本のパイルそのものの長さが長くなり、先端を曲げる力が加わった場合の屈曲性が良くなり、先端の略球形状部がじゅうたんの表面をすべるように刷き上げる、このときパイル先端の略球状の根元部がじゅうたん表面の繊維状の塵埃を引っ掛けるようにじゅうたん面より引き離し、電気掃除機よりの吸引風により集塵されることによりじゅうたん等のパイルに絡みついた塵埃を効率良く集塵できるものである。
【００１７】
請求項２記載の発明によれば、電動送風機を内蔵する掃除機本体と、請求項１に記載の電気掃除機用吸込具を、連結部を介して連通させた電気掃除機で、じゅうたんや木床等の多種の被掃除面に存在するいろんな塵埃をかき上げる機能を向上させることで、集塵性の向上を実現した電気掃除機を提供できる。
【００１８】
【実施例】
（実施例１）
以下、本発明の第１実施例について図１〜図５を用いて説明する。
【００１９】
掃除機本体８は吸引風を発する電動送風機９を内蔵しており、塵埃を吸引する吸込具１は、延長管６、ホース７の連結部を介して、前記電動送風機９と連通し、電気掃除機８を構成している。
【００２０】
吸込具１は内部に集塵室２を有し、被掃除面側と対向する底面に被掃除面に向かって開口３が設けられ、集塵室２と連通している。
【００２１】
吸込具１後部には上下に回動自在にアーム４が構成され、前記アーム４の内部には塵埃が通過する塵埃通路５が構成され、延長管６、ホース７により電気掃除機８本体につながり電気掃除機８本体内部の電動送風機９により発生する吸引風により塵埃を集塵している。
【００２２】
また、前記吸込具１の集塵室２内部には、円柱形状にて、円中心１４を軸に回転自在な回転子１０を有して、前記回転子１０の外周には、カットパイル状の紡績布から成る起毛布が被掃除面に接するようブラシのごとく設けられ、塵埃除去体１１を形成している。
【００２３】
前記塵埃除去体１１は、吸込具１に内装されたモーター等の駆動手段（図示せず）により、略円柱形状の回転子１０の円中心１４を軸に回転するとともに、同時に前記塵埃除去体１１が、じゅうたん等の被掃除面と衝突し被掃除面上の塵埃をかき上げる機能を有している。また、前記塵埃除去体１１を構成しているパイル１６は、被掃除面側の先端部１２を略球体状１３に形成された繊維にて成る塵埃除去体を有している。
【００２４】
上記構成による作用は以下の通りである。
【００２５】
塵埃除去体１１を構成しているパイル１６は、被掃除面側の先端部１２を略球体状１３に形成された繊維にて成ることにより、回転子１０に接近するじゅうたん等の被掃除面においては、前記塵埃除去体１１の先端部１２の略球体状１３が接触する。このとき略球形状１３はじゅうたんのパイルに接触しながら吸込具１とともに移動することにより、じゅうたん上に繊維質の塵埃が存在した場合、略球形状１３の根元部１７に引っかかりじゅうたんのパイルからはずれ、このとき電気掃除機の吸込風により集塵室２に導かれることによりじゅうたん上のパイルに絡みついた塵埃を効率良く掃除できるものである。
【００２６】
また、図４、図５に示すように塵埃除去体１１を構成するブラシ体のパイル１６は、けん縮加工された縮れ毛にて構成され、前記パイル１６の被掃除面側の先端部１２を略球体状１３に形成した塵埃除去体を有している。
【００２７】
上記構成による作用は以下の通りである。
【００２８】
塵埃除去体１１を構成しているパイル１６は被掃除面側の先端部１２は、けん縮加工された縮れ毛にて構成され、前記パイル被掃除面側の先端部１２を略球体状１３に形成したことにより、じゅうたん等の繊維質の被掃除面においては起毛布の基布１８からパイルの厚みが同一の直毛のパイルに対し、パイルがけん縮加工されていることにより、一本のパイルそのものの長さが長くなり、先端部１２を曲げる力が加わった場合の屈曲性が良くなり先端の略球形状部１３がじゅうたんの表面をすべるように刷き上げる、このときパイル先端の略球状１３の根元部１７がじゅうたん表面の繊維状の塵埃を引っ掛けるようにじゅうたん面より引き離し、電気掃除機８よりの吸引風により集塵されることによりじゅうたん等のパイルに絡みついた塵埃を効率良く集塵できるものである。
【００２９】
（実施例２）
本発明の第２の実施例を、図６を用いて説明する。
【００３０】
図６に示すように、パイルの先端１２を熱により収縮させるなどの二次加工をすることにより、パイルの先端１２を略球体状１３に構成する製造方法である。
【００３１】
上記構成による作用は以下の通りである。
【００３２】
ナイロン等の熱可塑性の性質を持つ材料にて構成されたパイル１６に、再びその材質の軟化温度より高温の熱を加えることにより材料が溶ける。その時パイル１６の先端部１２に近いところに熱を加えることにより、先端が溶けだして溶けた樹脂は表面張力により角が無くなり丸くなる性質を利用しパイル１６の先端を球状に加工するものである。
【００３３】
また、製糸工程にて引き伸ばされたパイルなどは先端に加える温度と時間を少なくすると製糸工程で延ばされることにより糸に残っている内部残留応力が緩和されパイルの先端のみ伸ばされる前の形状に復元する。
【００３４】
（実施例３）
本発明の第３の実施例を、図７を用いて説明する。
【００３５】
図７に示すように、塵埃除去体１１を構成するパイル１６の断面は凹凸がある異形断面糸を用いて構成している。
【００３６】
上記構成による作用は以下の通りである。
【００３７】
異形断面糸の断面は、図７に示すように凹凸がありじゅうたん等のパイルに接触した時に絡みついた塵埃をこする面積が多く、また端部２０が細くなっていることで木床等の硬質な被掃除面においては細い隙間まで端部が入り込むことにより細い隙間に入り込んだ塵埃まで確実に集塵できるものである。
【００３８】
（実施例４）
本発明の第４の実施例を、図８、図９を用いて説明する。
【００３９】
図８に示すように、吸込具１内部に内装された駆動手段（モーター等）により駆動される回転体を有し、前記回転体はその表面に被掃除面に向かって突出したパイル１６にて成る塵埃除去体１１を有し、前記塵埃除去体１１を構成するパイル１６の被掃除面側先端部１２は略球体状１３に形成されたパイルａ２１と略直線状のパイルｂ２２をそれぞれ配して構成している。
【００４０】
また、先端部を略球体状に形成されたパイルａ２１のパイル長に対し、略直線状のパイルｂ２２のパイル長を短く構成し、先端部を略球体状に形成されたパイルａ２１は、断面に凹凸がある異形断面糸を用いて構成されたものである。
【００４１】
上記構成による作用は以下の通りである。
【００４２】
塵埃除去体を構成しているパイル１６に長さの違いを設け、長い方のパイルａ２１の先端部１２を略球体状１３に形成された繊維にて成ることにより、回転子１０に接近するじゅうたん等の被掃除面においては、前記塵埃除去体１１の先端部１２の略球体状１３が接触する。このとき略球形状１３はじゅうたんのパイルａ２１に接触しながら吸込具１とともに移動することにより、じゅうたん上に繊維質の塵埃が存在した場合、略球形状１３の根元部１７に引っかかりじゅうたんのパイルからはずれ、このとき電気掃除機の吸込み風により集塵室に導かれることによりじゅうたん上のパイルに絡みついた塵埃を効率良く掃除できるものである。
【００４３】
また、木床などの硬質の被掃除面に対しては略球形状１３に構成された先端部１２が接触することで被掃除面をソフトにかきあげるため被掃除面を傷つけることもない。さらにじゅうたんなどの軟質で吸込具１に吸着される被掃除面にたいしては、略直線状のパイルｂ２２がじゅうたんの内部に入り込んだ塵埃をかき出すごとく接触することで確実にこびりついた塵埃まで集塵することができるものである。
【００４４】
また、異形断面糸の断面は図７に示すように凹凸がありじゅうたん等のパイルに接触した時に絡みついた塵埃をこする面積が多く、また端部が細くなっていることで木床等の硬質な被掃除面においては細い隙間まで端部が入り込むことにより細い隙間に入り込んだ塵埃まで確実に集塵できるものである。
【００４５】
（実施例５）
本発明の第５の実施例を、図１０を用いて説明する。
【００４６】
図１０に示すように、塵埃除去体１１を構成しているパイルの被掃除面側先端部１２を略球体状１３に形成されたパイルａ２１は、略直線状のパイルｂ２２より柔軟な材質にて構成されている。
【００４７】
また、塵埃除去体１１を構成しているパイルの被掃除面側先端部１２は略球体形状１３に形成されたパイルａ２１と略直線状のパイルｂ２２をそれぞれ回転子１０に同数配して構成されている。
【００４８】
上記構成による作用は以下の通りである。
【００４９】
塵埃除去体１１を構成しているパイルは被掃除面側先端部を略球体状に形成されたパイルａ２１の硬度に対し略直線状のパイルｂ２２の硬度が硬く構成された繊維にて構成するために、木床などの硬質の被掃除面に対しては軟らかく構成された被掃除面側先端部１２を略球体状１３に形成されたパイルａ２１の先端部１２が接触することで被掃除面をソフトにかきあげるため、被掃除面を傷つけることもない、さらにじゅうたんなどの軟質な被掃除面にたいしては、硬度が硬く構成された略直線状のパイルｂ２２がじゅうたんの内部に入り込んだ塵埃をかき出すごとく接触することで確実にこびりついた塵埃まで集塵することができるものである。
【００５０】
（実施例６）
本発明の第６の実施例を、図１１および図１２を用いて説明する。
【００５１】
図１１に示すように、パイルの被掃除面側先端部１２は略球体形状１３に形成されたパイルａ２１と略直線状のパイルｂ２２をそれぞれ同一の基布１８に織り込み構成された塵埃除去体１１を有するものである。
【００５２】
また、図１２は、パイルの被掃除面側先端部１２は略球体形状１３に形成されたパイルａ２１と略直線状のパイルｂ２２をそれぞれ同一の基布１８に織り込み、先端部１２を略球体形状１３に形成されたパイルａ２１のパイル長に対し、略直線状のパイルｂ２２のパイル長を短く構成されたものである。
【００５３】
上記構成による作用は以下の通りである。
【００５４】
塵埃除去体１１を構成しているパイル１６はパイルの被掃除面側先端部１２は略球体形状１３に形成されたパイルａ２１と略直線状のパイルｂ２２をそれぞれ同一の基布１８に織り込むことにより回転子１０の１本の塵埃除去体挿入溝２３に２種類のブラシを設けることができ略球体形状１３に形成されたパイルａ２１と略直線状のパイルｂ２２を回転子１０の塵埃除去体挿入溝２３の数に対しそれぞれ同数配することにより塵埃集塵性の向上が図れるものである。
【００５５】
また、先端部１２を略球体形状１３に形成されたパイルａ２１のパイル長に対し、略直線状のパイルｂ２２のパイル長を短く構成することにより略球体形状１３に形成されたパイルａ２１と略直線状のパイルｂ２２の被掃除面に対する有効な接触を行え塵埃集塵性の向上が図れるものである。
【００５６】
（実施例７）
本発明の第７の実施例を、図２および図３を用いて説明する。
【００５７】
図２に示すように、下方開口の吸込口より塵埃を吸引する集塵室２を有する吸込具１にて、前記吸込具１内部の被掃除面側に塵埃除去体１１を設け、前記塵埃除去体１１は超極細繊維にて構成されている。
【００５８】
また、下方開口３の吸込口より塵埃を吸引する集塵室２を有する吸込具１にて、吸込具１内部に内装された駆動手段（モーター等）により駆動される回転体を有し、前記回転体はその表面に被掃除面に向かって突出したパイルにて成る塵埃除去体１１を有し、前記パイルは超極細繊維にて構成されている。
【００５９】
上記構成による作用は以下の通りである。
【００６０】
塵埃除去体１１を構成しているパイルは超極細繊維にて構成するために、木床などの硬質の被掃除面に対しては軟らかく接触することで被掃除面をソフトにかきあげるため被掃除面を傷つけることもなく、木床の極微細な隙間に入り込んだ塵埃まで集塵することができるものである。
【００６１】
【発明の効果】
以上の説明したように本発明は、じゅうたんや木床等の多種の被掃除面に存在するいろんな塵埃をかき上げる機能を向上させることで、集塵性の向上を実現した電気掃除機用吸込具およびそれを用いた電気掃除機を提供できる。
【図面の簡単な説明】
【図１】本発明の第１の実施例を示す電気掃除機全体図
【図２】本発明の第１および第７の実施例を示す電気掃除機用吸込具の裏面図
【図３】同吸込具の回転子と塵埃除去体を示す外観図
【図４】本発明の第１の実施例を示す塵埃除去体を示す図
【図５】同塵埃除去体の要部外観図
【図６】本発明の第２の実施例を示す塵埃除去体のパイルの詳細図
【図７】本発明の第３の実施例を示す塵埃除去体の詳細図
【図８】本発明の第４の実施例を示す塵埃除去体の断面図
【図９】同他の塵埃除去体の断面図
【図１０】本発明の第５の実施例を示す塵埃除去体パイルの詳細図
【図１１】本発明の第６の実施例を示す塵埃除去体の詳細図
【図１２】同他の塵埃除去体の詳細図
【図１３】従来の電気掃除機全体図
【図１４】同電気掃除機用吸込具の裏面図
【図１５】同吸込具の回転子と塵埃除去体を示す外観図
【符号の説明】
１１  塵埃除去体
１２  先端部
１３  略球体形状
１６  パイル
１７  根元部
１８  基布
【図１】
0003624889.tif 000002
【図２】
0003624889.tif 000003
【図３】
0003624889.tif 000004
【図４】
0003624889.tif 000005
【図５】
0003624889.tif 000006
【図６】
0003624889.tif 000007
【図７】
0003624889.tif 000008
【図８】
0003624889.tif 000009
【図９】
0003624889.tif 000010
【図１０】
0003624889.tif 000011
【図１１】
0003624889.tif 000012
【図１２】
0003624889.tif 000013
【図１３】
0003624889.tif 000014
【図１４】
0003624889.tif 000015
【図１５】
0003624889.tif 000016